【事件の表示】
　平成　９年特許願第１５９３９２号「ディスク装置」拒絶査定に対する審判事件［平成１１年　１月１２日出願公開、特開平１１−　　７７３７］について、次のとおり審決する。
【結　論】
　本件審判の請求は、成り立たない。
【理　由】
１．出願の経緯、本願発明
　本願は、平成９年６月１７日の出願であって、その請求項１に係る発明は、平成１２年７月１８日付け手続補正書によって補正された明細書及び図面の記載からみて、その特許請求の範囲の請求項１に記載された以下のとおりのものと認められる。（以下、「本願発明」という。）
　なお、平成１２年１１月２２日付け手続補正は却下された。
「ピックアップをスレッド方向に駆動するスレッドモータ、
　前記スレッドモータのモータ軸に設けられかつ複数のスリットを有する遮光板、
　前記遮光板が回転するときに前記スリットを検出するセンサ、
　前記スリットの数をカウントするカウント手段、
　前記カウント手段のカウント値が所定数になるまで前記スレッドモータを回転させることによって前記ピックアップを一定距離移動させる移動手段、
　前記移動手段によって前記ピックアップが実際に前記一定距離移動される間のトラック本数を検出するトラック本数検出手段、
　前記ピックアップが前記移動手段によって実際に移動される前記一定距離を前記トラック本数で除算してトラックピッチを計算する計算手段、および
　前記計算手段によって計算した前記トラックピッチに基づいてジャンプするトラック本数を決定する決定手段を備える、ディスク装置。」
　
２．引用例
　原査定の拒絶の理由に引用された、特開昭５８−１５８０８１号公報（昭和５８年９月２０日出願公開、以下「引用例１」という）には、以下の記載がある。
「この発明はたとえば画像情報の記録、再生を行う光ディスク装置などの情報記録装置に関する。」（第１頁右下欄第６〜８行）
「上記光学ヘッド３は、可動部と固定部とで構成される直流リニアモータ（移動機構）１１の可動部に固定されており、これによりリニアモータ１１で光ディスク１の半径方向に直線移動される。１２は上記可動部に固定された光学スケール、１３はこの光学スケール１２の位置を検出する検出器であり、これはいわゆる重ね格子形検出方式によって光学ヘッド３の移動に応じて２種類の位相の異なった検出信号を出力するようになっている。（中略）。この信号処理回路１４は、たとえば上記検出器１３からの位相の異なった２種類の検出信号に応じて位置パルスを発生するパルス発生回路１５と、このパルス発生回路１５からのパルスに応じてアップカウントあるいはダウンカウントするカウンタ１６によって構成されている。」（第２頁右下欄第１４行〜第３頁左上欄第１１行）
「２２は比較器１９の出力信号あるいは制御部２１からのステップジャンプパルスに応じて前記リニアモータ１１を駆動することにより、前記光学ヘッド３を光ディスク上における半径方向（図示Ａ，Ｂ方向）に直線移動せしめるドライバで、２３は供給される記録データに応じて前記レーザ発振器４を駆動制御するレーザドライバである。」（第３頁右上欄第１９行〜左下欄第５行）
「次に、上記のような構成において、第２図に示すフローチャートを参照しつつ動作を説明する。たとえば今、図示しないＣＰＵよりアクセスするトラック番号が制御部２１に供給されるものとする。するとそのトラック番号はスケール変換部１７に供給され、このスケール変換部１７が供給されるトラック番号をトラックピッチ計算部１８からのトラックピッチを用いて対応するスケール値に変換する。（中略）。比較器１９は、スケール変換部１７からのスケール値とカウンタ１６のカウント値とが一致するまで、ドライバ２２を作動せしめる。（中略）。その後、カウンタ１６のカウント値とスケール変換部１７からのスケール値とが一致したとき、（中略）光学ヘッド３は制御部２１の制御により再生ビーム光を光ディスク１上に照射し、その反射光を電気信号に変換して２値化回路２０に出力する。２値化回路２０はその電気信号つまり再生信号を２値化し、制御部２１に供給する。」（第３頁左下欄第７行〜右下欄第２０行）
「また、上記制御部２１が２値化回路２０からの再生信号によりトラック番号を判断し、このトラック番号と目的のトラック番号を比較したとき、その差が１００トラック以上差がある場合、制御部２１はトラックピッチ計算部１８に補正信号を出力する。すると、トラックピッチ計算部１８は、制御部２１から供給されるトラック番号とカウンタ１６のカウント値からトラックピッチを計算する。すなわち〔トラックピッチ＝カウント値×スケールピッチ（３２μｍ）÷トラック数〕という演算によりトラックピッチが得られる。
　したがって、以後上記設定されている光ディスク１に対して、記録あるいは再生時に、光学ヘッド３のアクセスを行う場合に、上記のように補正したトラックピッチを用いてスケール変換が行われるため、１回のアクセスで目的のトラックの近くへ光学ヘッド１が移動できるようになっている。」（第４頁右上欄第４〜１５行）
　これらの記載及び図面を参照すると、引用例１には以下の発明が記載されていると認められる。
「光学ヘッドを光ディスクの半径方向に移動するリニアモータ、
　前記光学ヘッドの移動を検出する検出器、
　前記検出器からの検出信号に応じたパルスをカウントするカウンタ、
　前記カウントのカウント値がスケール値と一致するまで上記リニアモータを駆動するドライバ、
　前記カウンタのカウント値とスケール値が一致したときの再生信号よりトラック番号を判断し、該トラック番号とカウンタのカウント値から、
　トラックピッチ＝カウント値×スケールピッチ÷トラック数
という演算によりトラックピッチを得るトラックピッチ計算部、および
　以後、補正されたトラックピッチを用いてスケール変換を行う、光ディスク装置。」
　
３．対比
　本願発明と引用例１記載の発明とを対比する。
(1)引用例１記載の発明の「光学ヘッド」「光ディスクの半径方向」「リニアモータ」「カウンタ」「ドライバ」が、本願発明の「ピックアップ」「スレッド方向」「スレッドモータ」「カウント手段」「移動手段」に相当することは明かである。
(2)引用例１記載の発明の「カウント値×スケールピッチ」が、本願発明のピックアップが移動される「距離」に相当し、引用例１記載の発明の「トラック数」が本願発明の「トラック本数」に相当するから、引用例１記載の発明の「トラックピッチ計算部」が本願発明の「計算手段」に相当する。
(3)引用例１記載の発明の
「該トラック番号とカウンタのカウント値から、
　トラックピッチ＝カウント値×スケールピッチ÷トラック数
という演算により」
の構成からみて、引用例１記載の発明は、トラック番号から、ピックアップが移動実際に移動される間のトラック数を求めていると認められる。これが本願発明の「前記移動手段によって前記ピックアップが実際に」「移動される間のトラック本数を検出するトラック本数検出手段」に相当している。
（なお、請求人は、平成１２年７月１８日付けの意見書において、
「引例では、ジャンプ時のトラック情報の読み間違い等に起因して、正しいトラックピッチが得られないことがあります。
　これに対して、本願発明では、実際にピックアップを移動させ、その移動距離移動中に検出したトラック本数で除算することによって、トラックピッチを計算するので、各ディスク固有に正確なトラックピッチを計算することができ、そのためにシーク時間の短縮化およびシークの正確さを一層向上できるのであります。」
と主張している。
　しかし、本願発明は、請求人が主張するような「移動中に検出したトラック本数を検出する」ものに特定されておらず、引用例１記載の発明のごとき、トラック情報に基づいてトラック本数を検出するものを含んでいるから、請求人の上記主張は採用できない。
　ちなみに、「移動中に検出したトラック本数を検出する」ことも、例えば、特開平４−２８９５２３号公報第１８段落、特開平６−３２５５１３号公報第５段落に記載されているように周知であって、発明力はない。）
(4)引用例１記載の発明は、「補正されたトラックピッチを用いてスケール変換を行」っており、これが本願発明の「前記計算手段によって計算した前記トラックピッチに基づいてジャンプするトラック本数を決定する決定手段」に相当している。
　
　よって、本願発明と引用例１記載の発明とは、
「ピックアップをスレッド方向に駆動するスレッドモータ、
　前記スレッドモータによるピックアップの移動を検出するセンサ、
　前記センサの出力をカウントするカウント手段、
　前記カウント手段のカウント値が所定数になるまで前記スレッドモータを回転させることによって前記ピックアップを所定距離移動させる移動手段、
　前記移動手段によって前記ピックアップが実際に前記所定距離移動される間のトラック本数を検出するトラック本数検出手段、
　前記ピックアップが前記移動手段によって実際に移動される前記所定距離を前記トラック本数で除算してトラックピッチを計算する計算手段、および
　前記計算手段によって計算した前記トラックピッチに基づいてジャンプするトラック本数を決定する決定手段を備える、ディスク装置。」
である点で一致し、以下の点で相違する。
・相違点１
　ピックアップの移動を検出するセンサが、本願発明では「前記スレッドモータのモータ軸に設けられかつ複数のスリットを有する遮光板」及び「前記遮光板が回転するときに前記スリットを検出するセンサ」で構成されているのに対して、引用例１記載の発明は、重ね格子形検出方式によって検出するセンサである点。
・相違点２
　ピックアップの移動量が、本願発明では「一定距離」であるのに対して、引用例１記載の発明はそのようなものではない点。
　
４．当審の判断
　上記相違点１，２について、合わせて検討する。
　原査定で引用された、特開昭６１−８０６７４号公報（昭和６１年４月２４日出願公開、以下「引用例２」という）には、以下の記載がある。
「高速送り制御回路（４１）は、本発明に従って、単位ステップ当たりのトラック数を検出する回路を含む。この単位ステップ当りのトラック数の検出を自動的に行うために、ディスク装置の容器の蓋の閉成を検出するスイッチ（４３）が制御回路（４１）に接続され、（中略）蓋閉成スイッチ（４３）のオンに応答して動作を開始するプログラムを含み、ステップモータ（２７）の所定駆動（１００ステップ駆動）の開始前のアドレスＡ1と終了後のアドレスＡ2とを検出し、（Ａ2−Ａ1）／１００を演算し、これをステップ数決定回路（５０）に送る。ステップ数決定回路（５０）は、制御回路（４１）から送られた単位ステップ当りのトラック数に基づいて必要なステップ数を決定する。」（第４頁左下欄第６行〜右下欄第６行）
「次に、本発明の第２の実施例に係わるディスク装置を示す第４図について述べる。（中略）。この実施例では第１図のステップモータ（２７）の代わりにＤＣモータ（２７ａ）が設けられている。ＤＣモータ（２７ａ）はステップ制御が不可能であるので、回転検出器を設け、この検出に基づいて回転量を制御している。回転検出器は、モータ（２７ａ）のシャフトに取り付けられた回転スリット板（９１）と、発光素子（９２）、及び受光素子（９３）の組み合わせのホトカプラーからなる光学検出器であり、スリット板（９１）のスリットが通過する毎にパルスを発生するものである。従って、単位スリットの通過に基づく単位パルスの発生を、第１図のステップモータ（２７）の単位ステップに対応させることができる。
　この装置で第１図〜第３図の場合におけるアドレスＡ1、Ａ2に相当するものを求める場合には、まず、アドレスＡ1を検出した後に、ＣＰＵ（６１）からＤＣモータ制御回路（４２ａ）に駆動指令を与え、ＤＣモータ（２７ａ）を回転させてピックアップ（５）をディスク外周方向に送り、受光素子（９３）から得られるパルスをＣＰＵ（６１）に内蔵されているカウンタ（９４）で計数する。そして、カウンタ（９４）が１００パルスを計数した時点でＤＣモータ（２７ａ）による送りを停止させ、１００パルス後即ち所定量の送り駆動後のアドレスＡ2を検出し、（Ａ2−Ａ1）／１００から単位ステップ当りのトラック数を計算する。そして、このトラック数に基づいて、検索時のモータ回転量を決定する。」（第７頁右下欄第７行〜第８頁右上欄第７行）
　これらの記載及び図面を参照すると、引用例２には以下の発明が記載されている。なお、本願発明の対応個所をカッコ〔〕で記す。
「ピックアップをディスク外周方向に移動するＤＣモータ、〔スレッドモータ〕
　前記ＤＣモータのモータ軸に設けられかつ複数のスリットを有するスリット板、〔遮光板〕
　前記スリット板が回転するときに前記スリットを検出するホトカプラー、〔センサ〕
　前記スリットの数をカウントするカウンタ、〔カウント手段〕、
　前記カウンタのカウント値が１００パルスという一定の数になるまで前記ＤＣモータを回転させることによって前記ピックアップを一定距離移動するＤＣモータ制御回路、〔移動手段〕
　前記ピックアップが実際に前記一定距離移動される間のトラック数（Ａ2−Ａ1）及びパルス数（１００）から、単位パルス当たりのトラック数を計算し、前記単位パルス当たりのトラック数に基づいて検索時のモータ回転量を決定するＣＰＵ、〔トラック本数検出手段、計算手段、決定手段〕
を備える、ディスク装置。」
　そして、引用例１，２記載の発明は、トラックピッチのばらつきを補正する機能を有するディスク装置である点で共通であり、引用例１記載の発明の、ピックアップの移動量を検出するセンサを、引用例２記載の発明のごとく「前記スレッドモータのモータ軸に設けられかつ複数のスリットを有する遮光板」及び「前記遮光板が回転するときに前記スリットを検出するセンサ」に変更すると共に、引用例１記載の発明のピックアップの移動量を、引用例２記載の発明のごとく一定距離にすることは、当業者にとって格別困難なこととは言えず、その効果も予想外のものではない。
　
５．むすび
　以上の理由により、本願発明は、引用例１，２記載の発明に基づいて当業者が容易に発明をすることができたものであるから、特許法第２９条第２項の規定により特許を受けることができない。
　よって、結論のとおり審決する。